(57)【要約】【課題】  夜間の視認性を向上することができるようにする。【解決手段】  車室内に設けられた本体ケーシング２と、本体ケーシング２に引出収納可能に取付けられたカップホルダ本体３とを備えると共に、カップホルダ本体３を照明可能とした車両用カップホルダ装置であって、収納時にカップホルダ本体３の表面部が光り、引出時にカップホルダ本体３のカップホールド部５が光り得るよう、照明を切替可能に構成している。【選択図】        図２
2005088608.tif 000002
【特許請求の範囲】
【請求項１】
車室内に設けられた本体ケーシングと、該本体ケーシングに引出収納可能に取付けられたカップホルダ本体とを備えると共に、該カップホルダ本体を照明可能とした車両用カップホルダ装置において、
収納時にカップホルダ本体の表面部が光り、引出時にカップホルダ本体のカップホールド部が光り得るよう、照明を切替可能に構成したことを特徴とする車両用カップホルダ装置。
【請求項２】
前記本体ケーシングに光源を取付け、収納時に光源からの光を前記表面部へ導く導光体をカップホルダ本体に取付けると共に、引出時に光源からの光を前記カップホールド部へ導く上記とは別の導光体をカップホルダ本体に取付けたことを特徴とする請求項１記載の車両用カップホルダ装置。
【請求項３】
引出中にカップホールド部の照明が徐々に強くなるように構成したことを特徴とする請求項１または２記載の車両用カップホルダ装置。
【発明の詳細な説明】
【技術分野】
【０００１】
この発明は、車両用カップホルダ装置に関するものである。
【背景技術】
【０００２】
自動車などの車両の室内には、カップホルダなどの収納装置が設けられている。このようなカップホルダには引出式のものがある（例えば、特許文献１参照）。
【特許文献１】実用新案登録第２５８０５３０号
【発明の開示】
【発明が解決しようとする課題】
【０００３】
しかしながら、従来の引出式の車両用カップホルダ装置では、照明などを備えていないので、夜間などにその位置を認識しにくいという問題があった。
【課題を解決するための手段】
【０００４】
上記課題を解決するために、請求項１に記載された発明では、車室内に設けられた本体ケーシングと、該本体ケーシングに引出収納可能に取付けられたカップホルダ本体とを備えると共に、該カップホルダ本体を照明可能とした車両用カップホルダ装置において、収納時にカップホルダ本体の表面部が光り、引出時にカップホルダ本体のカップホールド部が光り得るよう、照明を切替可能に構成した車両用カップホルダ装置を特徴としている。
【０００５】
請求項２に記載された発明では、前記本体ケーシングに光源を取付け、収納時に光源からの光を前記表面部へ導く導光体をカップホルダ本体に取付けると共に、引出時に光源からの光を前記カップホールド部へ導く上記とは別の導光体をカップホルダ本体に取付けた請求項１記載の車両用カップホルダ装置を特徴としている。
【０００６】
請求項３に記載された発明では、引出中にカップホールド部の照明が徐々に強くなるように構成した請求項１または２記載の車両用カップホルダ装置を特徴としている。
【発明の効果】
【０００７】
請求項１の発明によれば、収納時に表面部が光ることにより、車室内を加飾することができる。引出時にカップホールド部が光ることにより、周囲が暗くてもカップ類の置き場所がすぐにわかるようにすることができる。また、表面部とカップホールド部とを切替えて択一的に光らせるようにしたことにより、必要部分のみを有効に光らせることができる。
【０００８】
請求項２の発明によれば、前記本体ケーシングに光源を設け、収納時に光源からの光を前記表面部へ導く導光体をカップホルダ本体に取付けると共に、引出時に光源からの光を前記カップホールド部へ導く上記とは別の導光体をカップホルダ本体に取付けたことにより、単一の光源で表面部とカップホールド部との照明の切替えを行わせることができる。
【０００９】
請求項３の発明によれば、引出中にカップホールド部の照明が徐々に強くなるように構成したことにより、高級感のある照明効果を演出することができる。
【発明を実施するための最良の形態】
【００１０】
夜間の視認性を向上するという目的を、インストルメントパネルに引出収納可能に取付けられた収納装置本体のインストルメントパネル表面側の面を、金属調を有すると共に照明光を透過可能な加飾面とする、という手段によって実現した。
【実施例】
【００１１】
以下、本発明を具体化した実施例について、図示例と共に説明する。
【００１２】
図１〜図３は、この発明の実施例を示すものである。
【００１３】
まず、構成を説明すると、自動車などの車両には、車室内に、カップホルダ装置１が設けられる。このようなカップホルダ装置１には引出式のものがある。この引出式のカップホルダ装置１は、車室内に設けられた本体ケーシング２と、この本体ケーシング２に引出収納可能に取付けられたカップホルダ本体３とを備えている。
【００１４】
本体ケーシング２は、インストルメントパネルやセンタークラスターなどの車室構成部材（以下、インストルメントパネルなど、と言う）に形成した開口部に対して取付可能な略箱枠状を呈している。この本体ケーシング２は、インストルメントパネルなどの内側に隠れるように配設されると共に、インストルメントパネルなどの開口部に対応する開口部４を有している。
【００１５】
カップホルダ本体３は、本体ケーシング２の開口部４内に収容可能な略板状をしており、その先端側の部分に、コップやマグカップや缶飲料やペットボトルなどの飲料容器を上方から挿入してその側部を保持するための孔状のカップホールド部５を有している。そして、カップホルダ本体３は、引出時に自重で下方へ傾動してカップホールド部５の下部に位置する底部支持アーム６を備えている。この底部支持アーム６は、収納時に本体ケーシング２の開口部４下辺にガイドされて上方へ傾動しカップホルダ本体３の裏面に収納されるようになっている。また、カップホルダ本体３は、カップホールド部５と飲料容器との間隙を調整しつつ飲料容器の側部を押さえる可動フラップ７を備えている。この可動フラップ７は特に図示しないバネによって押付方向へ付勢されている。そして、カップホルダ本体３は、インストルメントパネルなどに形成した開口部を塞いで、インストルメントパネルなどと面一となるリッド部８を先端側の面９に取付けられている。リッド部８は別部材で構成されている。
【００１６】
本体ケーシング２の開口部４内側壁と、カップホルダ本体３の両側部との間には、カップホルダ本体３の開閉を案内するガイド部１１，１２が設けられている。
【００１７】
また、本体ケーシング２には、カップホルダ本体３をプッシュオープン式に開閉可能なラッチ装置１３が取付けられており、カップホルダ本体３の対応する位置には、ラッチ装置１３によって把持・解放される爪部１４が取付けられている。ラッチ装置１３は本体ケーシング２の後端部に取付けられ、爪部１４はカップホルダ本体３の後端部に取付けられる。
【００１８】
更に、本体ケーシング２とカップホルダ本体３との間には、カップホルダ本体３を開方向へ駆動する開方向駆動機構１６が介装されている。この開方向駆動機構１６は、カップホルダ本体３を開方向へ付勢する弾性体１７と、弾性体１７の弾性力を減衰するダンパ装置１８とを備えている。開方向駆動機構１６は、例えば、以下の構造とする。即ち、弾性体１７としてゼンマイ状に巻きグセを付けた板バネを用い、この板バネを回転筒体１９に巻付ける。そして、この回転筒体１９の両端部内周部分に内歯の歯部２０を形成し、左右の歯部２０に一対のダンパ装置１８の入力歯車２１をそれぞれ歯合させる。この一対のダンパ装置１８をカップホルダ本体３の後端側に形成した座部２２に回転不能で且つ先端側へ移動不能に係止し、板バネの先端を弾性力に抗して引き伸ばしつつ、先端に設けたフック部２３を本体ケーシング２先端の係止部２４に係止する。このような構成にすることにより、簡単な構成で、設定の容易な開方向駆動機構１６を得ることができる。
【００１９】
そして、カップホルダ本体３を照明可能とする。そのために、本体ケーシング２に光源２６を設ける。例えば、光源２６は、本体ケーシング２の裏面に取付ける。また、光源２６は、この場合、本体ケーシング２の前後方向中央部、または、それよりも後端側に設けられている。光源２６は、車両の照明スイッチにより点灯されるようにする。そして、本体ケーシング２に出射部２７を形成する。例えば、出射部２７は、本体ケーシング２底面の先端部に設けられる。そして、出射部２７は、本体ケーシング２の幅方向略全域に延びるスリット状を呈している。よって、出射部２７は、孔状のカップホールド部５と対応する位置に形成されている。そして、本体ケーシング２の裏面に、光源２６からの光を出射部２７へと導く固定側導光体２８を取付ける。固定側導光体２８は、透明樹脂で形成され、光源２６から出射部２７へ向けて略末拡がりの形状を呈している。
【００２０】
この実施例では、収納時にカップホルダ本体３の表面部（リッド部８）が光り、引出時にカップホルダ本体３のカップホールド部５が光り得るよう、照明を切替可能に構成する。
【００２１】
そのために、カップホルダ本体３に対して光源２６からの光を収納時にリッド部８へ導く透明な第１の導光体３１を設けると共に、カップホルダ本体３に対して光源２６からの光を引出時にカップホールド部５（の周囲）へ導く上記とは別の（第２）の透明な導光体３２を設ける。第１の導光体３１は収納時に出射部２７と対向する入射部３３を有している。第２の導光体３２は引出時に出射部２７と対向する入射部３４を有している。
【００２２】
ここで、カップホルダ本体３の表面部を光らせるために、リッド部８を加飾フィニッシャーとして、図３（ａ）に示すように、この加飾フィニッシャーを透明樹脂３６で構成する。そして、その表面にカップホルダ本体３の基本色となるベース色インキ層３７を形成する。表面を金属調とする場合には、更に、その表面側に金属調インキ層３８を形成する。必要に応じて、その表面側に抽象柄インキ層３９を形成して、抽象柄が見えるようにしても良い。最後に、その表面側に仕上げとしてクリア塗装４０を形成する。ベース色インキ層３７、金属調インキ層３８、抽象柄インキ層３９は、いずれも、光源２６からの光を通し得る程度の極く薄い層としておく。
【００２３】
一方、図３（ｂ）に示すように、第１の導光板３１のリッド部８と対向する対向部の表面に、透明シート４１に調光印刷４２を施してなる調光シート４３を貼付ける。また、対向部の裏面および導光板の側面や裏面などに反射用塗装４４を適宜施す。
【００２４】
第２の導光体３２は、カップホールド部５の周囲に対して適宜、出射部４５を形成するようにする。
【００２５】
更に、引出中にカップホールド部５の照明が徐々に強くなるように構成する。そのために、第２の導光体３２の入射部３４の引出収納方向の寸法４７を、出射部２７、および、第１の導光体３１の入射部３３の引出収納方向の寸法よりも大きくする。
【００２６】
また、必要に応じて、本体ケーシング２における光源２６からの光の出射部２７に、光を遮断可能なシャッター機構４８を設ける。
【００２７】
次に、この実施例の作用について説明する。
【００２８】
引出式のカップホルダ装置１は、収納時にリッド部８を押すことにより、ラッチ装置１３から爪部１４が解放され、開方向駆動機構１６が作動するため、カップホルダ本体３が引出されるようになっている。
【００２９】
この際、開方向駆動機構１６は、弾性体１７が弾性力で回転筒体１９に巻取られることにより、カップホルダ本体３後端と本体ケーシング２先端との距離が短くなるようにしてカップホルダ本体３を引出すように機能する。弾性体１７の弾性力は、回転筒体１９の両端部内周部分に形成した内歯の歯部２０に入力歯車２１をそれぞれ歯合された一対のダンパ装置１８により減衰され、カップホルダ本体３を高級感のあるゆっくりした動きで引出させる。
【００３０】
そして、底部支持アーム６が自重で下方へ傾動してカップホールド部５の下部に位置し、底部支持アーム６とカップホールド部５との間で飲料容器を保持させることができる。カップホールド部５へ挿入された飲料容器は、可動フラップ７が間隙を調整することにより、ガタ付きを防止されつつ安定して保持される。
【００３１】
反対に、引出状態のカップホルダ本体３を、開方向駆動機構１６に抗して本体ケーシング２内へ押込むことにより、ラッチ装置１３に爪部１４が把持され、収納状態となる。
【００３２】
昼間の非点灯時には、カップホルダ本体３の表面部は、ベース色インキ層３７、金属調インキ層３８、抽象柄インキ層３９などにより、ベース色、金属調、抽象柄などに見えている。
【００３３】
夜間点灯時に、本体ケーシング２に設けた光源２６が点灯されると、カップホルダ本体３が照明される。
【００３４】
この実施例によれば、照明を切替可能として、収納時にはカップホルダ本体３の表面部（リッド部８）が光り、引出時にはカップホルダ本体３のカップホールド部５が光り得るようにしている。
【００３５】
このように、収納時に表面部（リッド部８）が光ることにより、車室内を加飾することができる。引出時にカップホールド部５が光ることにより、周囲が暗くてもカップ類の置き場所がすぐにわかるようにすることができる。また、表面部とカップホールド部５とを切替えて択一的に光らせるようにしたことにより、必要部分のみを有効に光らせることができる。
【００３６】
本体ケーシング２に光源２６を設け、収納時に光源２６からの光を表面部へ導く導光体３１，３２をカップホルダ本体３に取付けると共に、引出時に光源２６からの光をカップホールド部５へ導く上記とは別の導光体３１，３２をカップホルダ本体３に取付けたことにより、単一の光源２６で表面部とカップホールド部５との照明の切替えを行わせることができる。
【００３７】
引出中にカップホールド部５の照明が徐々に強くなるように構成したことにより、高級感のある照明効果を演出することができる。これは、第２の導光体３２の入射部３４の引出収納方向の寸法４７を、出射部２７、および、第１の導光体３１の入射部３３の引出収納方向の寸法よりも大きくして、引出中に出射部２７と第２の導光体３２の入射部３４との重なり代が徐々に大きくなるようにすることによって、実現させることができる。
【図面の簡単な説明】
【００３８】
【図１】本発明の実施例にかかる分解斜視図である。
【図２】図１の概略側方断面図である。
【図３】（ａ）はリッド部の拡大側方断面図、（ｂ）は対向部の拡大側方断面図である。
【符号の説明】
【００３９】
２    本体ケーシング
３    カップホルダ本体
５    カップホールド部
８    表面部（リッド部）
２６  光源
３１  導光体
３２  導光体
【図１】
2005088608.tif 000003
【図２】
2005088608.tif 000004
【図３】
2005088608.tif 000005